(57)【要約】【課題】電気機器の動作確認を行うことができること。【解決手段】実施形態に係る制御装置は、送信部と、受信部と、表示部とを具備する。送信部は、電気機器を制御する制御信号を外部からの信号に応じて電気機器へ送信する。受信部は、制御信号に基づく電気機器の動作状態を示すモニタ信号を受信する。表示部は、受信したモニタ信号を表示する。【選択図】図３
2018166243.tif 000002
【特許請求の範囲】
【請求項１】
電気機器を制御する制御信号を外部からの信号に応じて前記電気機器へ送信する送信部と；
前記制御信号に基づく前記電気機器の動作状態を示すモニタ信号を受信する受信部と；
受信した前記モニタ信号を表示する表示部と；
を具備することを特徴とする制御装置。
【請求項２】
前記電気機器が接続される第１のインターフェース部と；
前記電気機器との接続を延長する延長ユニットが接続される第２のインターフェース部と；
をさらに具備することを特徴とする請求項１に記載の制御装置。
【請求項３】
前記第１のインターフェース部および前記第２のインターフェース部のうちいずれか一方を選択させる第１選択部をさらに具備し、
前記送信部は、前記第１選択部によって選択された前記第１のインターフェース部および前記第２のインターフェース部のうちいずれか一方を介して前記制御信号を送信する、
ことを特徴とする請求項２に記載の制御装置。
【請求項４】
前記制御信号に含まれるオン制御信号およびオフ制御信号のうちいずれか一方を選択させる第２選択部；
をさらに具備することを特徴とする請求項１〜３のいずれか一つに記載の制御装置。
【請求項５】
前記制御信号の送信から前記モニタ信号が変化するまでの制限時間を選択させる第３選択部；
をさらに具備することを特徴とする請求項１〜４のいずれか一つに記載の制御装置。
【請求項６】
前記送信部は、操作部の操作によって前記制御信号を前記電気機器へ送信する、
ことを特徴とする請求項１〜５のいずれか一つに記載の制御装置。
【請求項７】
前記電気機器は、ＨＡ（Home  Automation）端子を備えるＨＡ機器である、
ことを特徴とする請求項１〜６のいずれか一つに記載の制御装置。
【発明の詳細な説明】
【技術分野】
【０００１】
本発明の実施形態は、制御装置に関する。
【背景技術】
【０００２】
近年、電気機器を遠隔制御することを可能にするホームネットワークシステムが知られている。かかるホームネットワークシステムにおいては、制御装置が電気機器の動作を制御する。一般的に、制御装置と電気機器との間を配線したあとの電気機器の動作確認は、チェッカーを用いて行っていた。つまり、現在の制御装置では、制御装置自体で電気機器の動作確認を行うことができなかった。
【先行技術文献】
【特許文献】
【０００３】
【非特許文献１】パナソニック株式会社  品名：ＪＥＭＡチェッカー（ＪＥＭＡ標準ＨＡ対応疑似端末機）、パナソニックホームページ、［平成２９年３月２２日検索］、インターネット＜http://www2.panasonic.biz/es/ai/products/search/detail?dep=&c=search&item_no=WTJ7003&item_cd=WTJ7003&bh_cd=3&b_cd=301&style=＞
【発明の概要】
【発明が解決しようとする課題】
【０００４】
本発明が解決しようとする課題は、電気機器の動作確認を行うことができる制御装置を提供することである。
【課題を解決するための手段】
【０００５】
実施形態に係る制御装置は、送信部と、受信部と、表示部とを具備する。送信部は、電気機器を制御する制御信号を外部からの信号に応じて電気機器へ送信する。受信部は、制御信号に基づく電気機器の動作状態を示すモニタ信号を受信する。表示部は、受信したモニタ信号を表示する。
【図面の簡単な説明】
【０００６】
【図１】図１は、実施形態に係る制御システムの構成例を示す図である。
【図２Ａ】図２Ａは、実施形態に係る制御装置の表側正面図である。
【図２Ｂ】図２Ｂは、実施形態に係る制御装置の裏側正面図である。
【図２Ｃ】図２Ｃは、実施形態に係る制御装置の側面図である。
【図３】図３は、実施形態に係る制御装置の構成例を示す図である。
【図４Ａ】図４Ａは、実施形態に係る制御装置による電気機器の動作確認のためのオン動作を説明する図である。
【図４Ｂ】図４Ｂは、実施形態に係る制御装置による電気機器の動作確認のためのオフ動作を説明する図である。
【図５】図５は、実施形態に係る制御装置による電気機器の動作確認処理の手順を示すフローチャートである。
【発明を実施するための形態】
【０００７】
以下で説明する実施形態に係る制御装置１０は、送信部４６と、受信部４５と、表示部２３とを具備する。送信部４６は、電気機器Ｈ１，Ｈ２を制御する制御信号を外部からの信号に応じて電気機器Ｈ１，Ｈ２へ送信する。受信部４５は、制御信号に基づく電気機器Ｈ１，Ｈ２の動作状態を示すモニタ信号を受信する。表示部２３は、受信したモニタ信号を表示する。
【０００８】
また、以下で説明する実施形態に係る制御装置１０は、第１のインターフェース部２４と、第２のインターフェース部２５とを具備する。第１のインターフェース部２４には、電気機器Ｈ１が接続される。第２のインターフェース部２５には、電気機器Ｈ２との接続を延長する延長ユニット５０が接続される。
【０００９】
また、以下で説明する実施形態に係る制御装置１０は、第１選択部４２をさらに具備する。第１選択部４２は、第１のインターフェース部２４および第２のインターフェース部２５のうちいずれか一方を選択させる。送信部４６は、第１選択部４２によって選択された第１のインターフェース部２４および第２のインターフェース部２５のうちいずれか一方を介して制御信号を送信する。
【００１０】
また、以下で説明する実施形態に係る制御装置１０は、第２選択部４３をさらに具備する。第２選択部４３は、制御信号に含まれるオン制御信号およびオフ制御信号のうちいずれか一方を選択させる。
【００１１】
また、以下で説明する実施形態に係る制御装置１０は、第３選択部４４をさらに具備する。第３選択部４４は、制御信号の送信からモニタ信号が変化するまでの制限時間を選択させる。
【００１２】
また、以下で説明する実施形態に係る制御装置１０において、送信部４６は、操作部２２の操作によって制御信号を電気機器Ｈ１，Ｈ２へ送信する。
【００１３】
また、以下で説明する実施形態に係る制御装置１０において、電気機器Ｈ１，Ｈ２は、ＨＡ（Home  Automation）端子を備えるＨＡ機器である。
【００１４】
［実施形態］
以下、添付図面を参照して、実施形態に係る制御システムおよび制御装置について説明する。なお、実施形態において、同一の部位には同一の符号を付し、重複する説明は省略される。
【００１５】
［制御システム］
まず、図１を用いて、制御システム１について説明する。
【００１６】
図１は、実施形態に係る制御システム１の構成例を示す図である。図１に示す制御システム１は、宅内に設置されている家電、ガレージに設置されている監視カメラ、およびガレージシャッター等の制御や監視を実現するシステムである。
【００１７】
制御システム１は、例えば、ＨＥＭＳ（Home  Energy  Management  System）と呼ばれる場合がある。また、制御システム１は、一例として、ＨＥＭＳ標準プロトコルの「ＥＣＨＯＮＥＴ  Ｌｉｔｅ」が適用される場合がある。
【００１８】
図１に示した制御システム１は、ホームネットワークシステム２と、ユーザ端末３と、サーバＳＶとを有する。ホームネットワークシステム２と、ユーザ端末３と、サーバＳＶとは、ネットワークＮＴを介して有線または無線により通信可能に接続される。ネットワークＮＴは、例えば、インターネットやイントラネットに該当する。なお、図１に示すホームネットワークシステム２、ユーザ端末３、サーバＳＶの数は、一例に過ぎず、制御システム１の構成に応じて適宜変更可能である。
【００１９】
ホームネットワークシステム２は、例えば、宅内や店舗内の建物内に構築され、ホームゲートウェイＧＷと、電気機器Ｈ１，Ｈ２と、制御装置１０とを含む。なお、図１に示す電気機器Ｈ１，Ｈ２の数は、一例に過ぎず、制御システム１の構成に応じて適宜変更可能である。
【００２０】
ホームゲートウェイＧＷは、制御装置１０と、例えば、ＬＡＮケーブルＬ１で接続され、ホームネットワークシステム２を外部のネットワークＮＴと通信可能に接続する通信機器である。
【００２１】
電気機器Ｈ１，Ｈ２は、ＨＡ（Home  Automation）端子を備えるＨＡ機器である。以下では、ＨＡ端子を備えるＨＡ機器を電気機器と呼ぶこととする。かかる電気機器Ｈ１，Ｈ２は、宅内に設置される電化製品等である。
【００２２】
図１の例の場合、電気機器Ｈ１は、例えば、給湯器用リモコン１００と給湯器１０１とを含めたものであり、電気機器Ｈ２は、例えば、床暖房用リモコン２００と床暖房２０１とを含めたものである。なお、電気機器Ｈ１は給湯器１０１のみであってもよく、電気機器Ｈ２は床暖房２０１のみであってもよい。
【００２３】
なお、電気機器は、図１の例に限られず、空調装置、洗濯機、照明器具、テレビジョンセット、電気錠、インターホン（ドアホン）等の生活家電、テレビジョン録画機等のオーディオ・ビジュアル機器等であってもよい。また、電気機器は、ゲーム機等のアミューズメント家電、パーソナルコンピュータ等の情報家電、太陽光発電関連機器等であってもよい。すなわち、電気機器は、広く家庭電化製品一般であってもよい。
【００２４】
制御装置１０は、アクセスポイントとしての機能を有し、この例では、接続ケーブルＬ２を介して電気機器Ｈ１と通信を行い、接続ケーブルＬ３を介して電気機器Ｈ２と通信を行う。なお、制御装置１０と電気機器Ｈ２との間の接続ケーブルＬ３には、延長ユニット５０が設けられる。延長ユニット５０は、制御装置１０からより離れた場所に電気機器Ｈ２を設置するために用いられるものである。つまり、制御装置１０には、接続ケーブルＬ２を介して電気機器Ｈ１が接続され、接続ケーブルＬ３を介して電気機器Ｈ２との接続を延長する延長ユニット５０が接続される。
【００２５】
また、制御装置１０は、電気機器Ｈ１，Ｈ２の動作を制御する。具体的には、制御装置１０は、例えば、サーバＳＶから制御命令を受信した場合に、受信した制御命令を電気機器Ｈ１，Ｈ２に送信する。この場合、電気機器Ｈ１，Ｈ２は、制御装置１０から受信した制御命令に従って自装置（電気機器Ｈ１，Ｈ２）の動作を制御する。例えば、給湯器である電気機器Ｈ１は、電源をオンにする旨の制御命令を受信した場合には、自装置（電気機器Ｈ１）の電源をオンにする。
【００２６】
また、図１において、ホームネットワークシステム２の外部に示したユーザ端末３は、例えば、携帯電話機、ＰＤＡ（Personal  Data  Assistance）、タブレット端末、ＰＣ（Personal  Computer）等であり、無線又は有線によりネットワークＮＴに接続される。ユーザ端末３は、ユーザ操作に従って電気機器Ｈ１，Ｈ２に対する制御命令をサーバＳＶに送信することができる。
【００２７】
サーバＳＶは、電気機器Ｈ１，Ｈ２に関する各種情報を管理する。また、サーバＳＶは、ネットワークＮＴを介してユーザ端末３から制御命令を受信した場合に、受信した制御命令を制御装置１０に送信する。これにより、宅内の制御装置１０は、ホームネットワークシステム２の外部に位置するユーザ端末３から送信された制御命令を電気機器Ｈ１，Ｈ２に送信することで、電気機器Ｈ１，Ｈ２の動作を制御する。
【００２８】
このように、ホームネットワークシステム２を利用するユーザは、ユーザ端末３を用いることで、制御装置１０を介して電気機器Ｈ１，Ｈ２を屋外から制御することができる。
【００２９】
ところで、一般的に、制御装置と電気機器との間を配線したあとの電気機器の動作確認は、チェッカーを用いて行っていた。具体的には、延長ユニットとチェッカーとを接続ケーブルで接続し、延長ユニットに接続されている制御装置からの制御信号をチェッカーが受信し、受信した信号を表示させることで、制御装置と電気機器との間の配線の施工確認、つまり、電気機器の動作確認を行っていた。
【００３０】
かかる確認方法は、制御装置が制御信号を正常に発信する場合を前提としており、制御装置が正常に動作しているか否かは不明であった。制御装置を含めた動作確認を行う場合には、制御装置と制御システムとを通信できる状態にしてサーバから電気機器の動作確認を行う必要があった。
【００３１】
そこで、実施形態に係る制御装置１０は、制御装置１０と電気機器Ｈ１，Ｈ２との間を配線したあとの制御装置１０をも含めた電気機器Ｈ１，Ｈ２の動作確認を、制御装置１０自体で行うこととした。以下、実施形態に係る制御装置１０について、図２Ａ〜図５を用いて詳細に説明する。
【００３２】
［制御装置の外観］
まず、図２Ａ〜図２Ｃを用いて、制御装置１０の外観について説明する。図２Ａは、実施形態に係る制御装置１０の表側正面図である。図２Ｂは、実施形態に係る制御装置１０の裏側正面図である。図２Ｃは、実施形態に係る制御装置１０の側面図である。
【００３３】
図２Ａに示すように、制御装置１０の表側基板１１ａには、電源スイッチ１２と、第１のＤＩＰスイッチ１３と、第１のＬＥＤ１４ａと、第２のＬＥＤ１４ｂと、第１のボタンスイッチ１５ａと、第２のボタンスイッチ１５ｂとが設けられる。
【００３４】
電源スイッチ１２は、制御装置１０の電源をオン／オフするスイッチである。第１のＤＩＰスイッチ１３は、制御装置１０による制御信号の送信から電気機器Ｈ１，Ｈ２の動作状態を示すモニタ信号が変化するまでの制限時間を選択することができるスイッチである。かかる第１のＤＩＰスイッチ１３は、２つのチャンネル１３ａ，１３ｂを有する。一方のチャンネル１３ａは、例えば、宅内に設置されている家電等に用いるために設定した制限時間を実行する。他方のチャンネル１３ｂは、例えば、ガレージシャッター等に用いるために設定した制限時間を実行する。かかる一方のチャンネル１３ａおよび他方のチャンネル１３ｂの選択は、各チャンネル１３ａ，１３ｂのオン／オフを切り替えることで行われる。
【００３５】
なお、第１のＤＩＰスイッチ１３が有するチャンネルは２つに限られず、電気機器の種類に応じてチャンネルを有してもよい。つまり、第１のＤＩＰスイッチ１３は、電気機器の種類に応じて上記の制限時間を設定し、設定した制限時間ごとにチャンネルを有してもよい。
【００３６】
第１のＬＥＤ１４ａは、制御信号の種類（オン制御信号／オフ制御信号）およびモニタ信号の変化に応じて点滅、点灯、消灯する。具体的には、第１のＬＥＤ１４ａは、制御装置１０から制御信号が電気機器Ｈ１，Ｈ２へ向けて送信された場合に点滅する。また、第１のＬＥＤ１４ａは、電気機器Ｈ１，Ｈ２からのモニタ信号が制限時間内に変化した場合およびオン制御信号に設定された場合に点灯する。また、第１のＬＥＤ１４ａは、電気機器Ｈ１，Ｈ２からのモニタ信号が制限時間内に変化しなかった場合およびオフ制御信号に設定された場合に消灯する。
【００３７】
第２のＬＥＤ１４ｂは、電気機器Ｈ１，Ｈ２の動作状態に応じて点滅、点灯、消灯する。具体的には、第２のＬＥＤ１４ｂは、設定した制限時間が過ぎた場合に点滅する。また、第２のＬＥＤ１４ｂは、電気機器Ｈ１，Ｈ２が運転状態にある場合に点灯する。また、第２のＬＥＤ１４ｂは、電気機器Ｈ１，Ｈ２が停止状態にある場合に消灯する。
【００３８】
第１のボタンスイッチ１５ａは、オン制御信号およびオフ制御信号のうちいずれか一方を選択するスイッチである。第２のボタンスイッチ１５ｂは、選択したオン制御信号もしくはオフ制御信号を送信するスイッチである。
【００３９】
図２Ｂに示すように、制御装置１０の裏側基板１１ｂには、電源端子１６と、機器接続端子１７と、延長ユニット接続端子１８と、第２のＤＩＰスイッチ１９とが設けられる。
【００４０】
電源端子１６には、電源ケーブルを介して電源が接続される。機器接続端子１７には、接続ケーブルＬ２を介して電気機器Ｈ１が接続される。延長ユニット接続端子１８には、接続ケーブルＬ３を介して電気機器Ｈ２との接続を延長する延長ユニット５０が接続される。
【００４１】
第２のＤＩＰスイッチ１９は、機器接続端子１７および延長ユニット接続端子１８のうちいずれか一方を選択することができるスイッチである。かかる第２のＤＩＰスイッチ１９は、２つのチャンネル１９ａ，１９ｂを有する。一方のチャンネル１９ａは、機器接続端子１７のオン／オフを切り替える。他方のチャンネル１９ｂは、延長ユニット接続端子１８のオン／オフを切り替える。具体的に、機器接続端子１７を使用する場合には、一方のチャンネル１９ａにおいてオンに切り替え、他方のチャンネル１９ｂにおいてオフに切り替える。また、延長ユニット接続端子１８を使用する場合には、一方のチャンネル１９ａにおいてオフに切り替え、他方のチャンネル１９ｂにおいてオンに切り替える。
【００４２】
図２Ｃに示すように、制御装置１０の筐体の一方の側面には、ＬＡＮ端子２０が設けられる。ＬＡＮ端子２０には、ＬＡＮケーブルＬ１を介してホームゲートウェイＧＷが接続される。
【００４３】
［制御装置の構成］
次に、図３を用いて、制御装置１０の構成について説明する。図３は、実施形態に係る制御装置１０の構成例を示す図である。
【００４４】
図３に示すように、制御装置１０は、ネットワークインターフェース部２１と、操作部２２と、表示部２３と、第１のインターフェース部２４と、第２のインターフェース部２５と、記憶部３０と、制御部４０とを有する。
【００４５】
ネットワークインターフェース部２１は、ホームゲートウェイＧＷと制御部４０との間の相互通信を可能とするものである。
【００４６】
操作部２２は、上記した電源スイッチ１２、第１のＤＩＰスイッチ１３、第１のボタンスイッチ１５ａ、第２のボタンスイッチ１５ｂ、第２のＤＩＰスイッチ１９等の操作デバイスであり、操作者の操作指示を操作デバイスより受けて制御部４０へ出力する。
【００４７】
表示部２３は、上記した第１のＬＥＤ１４ａ、第２のＬＥＤ１４ｂ等の表示デバイスであり、制御部４０からの表示信号を受けて点滅、点灯、消灯する。
【００４８】
第１のインターフェース部２４は、電気機器Ｈ１と制御部４０との間の相互通信を可能とするものである。第２のインターフェース部２５は、電気機器Ｈ２との接続を延長する延長ユニット５０と制御部４０との間の相互通信を可能とするものである。
【００４９】
記憶部３０は、例えば、ＲＡＭ（Random  Access  Memory)、フラッシュメモリ（Flash  Memory）等の半導体メモリ素子等の記憶装置によって実現される。かかる記憶部３０は、ログ履歴情報３１を記憶する。ログ履歴情報３１は、電気機器Ｈ１，Ｈ２の動作確認を行った日時や電気機器Ｈ１，Ｈ２の動作確認の結果等を示す情報である。
【００５０】
制御部４０は、例えば、ＡＳＩＣ（Application  Specific  Integrated  Circuit）やＦＰＧＡ（Field  Programmable  Gate  Array）等の集積回路により実現される。また、制御部４０は、例えば、ＣＰＵ（Central  Processing  Unit）やＭＰＵ（Micro  Processing  Unit）等によって、制御装置１０内部の記憶装置に記憶されているプログラムがＲＡＭを作業領域として実行されることにより実現される。かかる制御部４０は、モード切替部４１と、第１選択部４２と、第２選択部４３と、第３選択部４４と、受信部４５と、送信部４６とを有する。
【００５１】
モード切替部４１は、操作部２２からの操作信号を受けて通常の電気機器Ｈ１，Ｈ２の動作を行う通常モードと電気機器Ｈ１，Ｈ２の動作状態の確認を行うテストモードとの切り替えを行う。具体的には、モード切替部４１は、第１のボタンスイッチ１５ａと第２のボタンスイッチ１５ｂとを同時に押すことで通常モードからテストモードへもしくはテストモードから通常モードへ切り替えさせる。
【００５２】
第１選択部４２は、操作部２２からの操作信号を受けて第１のインターフェース部２４および第２のインターフェース部２５のうちいずれか一方を選択させる。具体的には、第１選択部４２は、第２のＤＩＰスイッチ１９の一方のチャンネル１９ａおよび他方のチャンネル１９ｂのオン／オフを切り替えることで、第１のインターフェース部２４および第２のインターフェース部２５のうちいずれか一方を選択させる。
【００５３】
第２選択部４３は、操作部２２からの操作信号を受けて制御信号に含まれるオン制御信号およびオフ制御信号のうちいずれか一方を選択させる。具体的には、第２選択部４３は、第１のボタンスイッチ１５ａを押すことで、オン制御信号およびオフ制御信号のうちいずれか一方を選択させる。
【００５４】
第３選択部４４は、操作部２２からの操作信号を受けて制御装置１０による制御信号の送信から電気機器Ｈ１，Ｈ２の動作状態を示すモニタ信号が変化するまでの制限時間を選択させる。具体的には、第３選択部４４は、第１のＤＩＰスイッチ１３の一方のチャンネル１３ａおよび他方のチャンネル１３ｂのオン／オフを切り替えることで、宅内に設置されている家電等に用いるために設定した制限時間およびガレージシャッター等に用いるために設定した制限時間のうちいずれか一方を選択させる。
【００５５】
受信部４５は、ホームゲートウェイＧＷからの信号を受信する。そして、受信部４５がホームゲートウェイＧＷからの信号を受信することで、送信部４６からの制御信号の送信が可能な状態となる。また、受信部４５は、電気機器Ｈ１，Ｈ２からのモニタ信号を受けて表示信号を生成し、生成した表示信号を表示部２３へ出力する。具体的には、受信部４５は、変化したモニタ信号もしくは変化しなかったモニタ信号により生成した表示信号を第１のＬＥＤ１４ａへ出力する。また、受信部４５は、停止状態を示すモニタ信号もしくは運転状態を示すモニタ信号により生成した表示信号を第２のＬＥＤ１４ｂへ出力する。
【００５６】
送信部４６は、操作部２２からの操作信号を受けて電気機器Ｈ１，Ｈ２の動作確認を行うための制御信号を電気機器Ｈ１，Ｈ２へ送信する。具体的には、送信部４６は、第２のボタンスイッチ１５ｂを押すことで、電気機器Ｈ１，Ｈ２の動作確認を行うためのオン制御信号もしくはオフ制御信号を電気機器Ｈ１，Ｈ２へ送信する。
【００５７】
また、送信部４６は、操作部２２からの操作信号を受けて表示信号を生成し、生成した表示信号を表示部２３へ出力する。具体的には、送信部４６は、第２のボタンスイッチ１５ｂからの操作信号により生成した表示信号を第１のＬＥＤ１４ａへ出力する。
【００５８】
ここで、図４Ａおよび図４Ｂを用いて、実施形態に係る制御装置１０による電気機器Ｈ１，Ｈ２の動作確認のためのオンオフ動作について説明する。図４Ａは、実施形態に係る制御装置１０による電気機器Ｈ１，Ｈ２の動作確認のためのオン動作を説明する図である。図４Ｂは、実施形態に係る制御装置１０による電気機器Ｈ１，Ｈ２の動作確認のためのオフ動作を説明する図である。
【００５９】
なお、以下では、制御装置１０と電気機器Ｈ１，Ｈ２とがＨＡ端子によって接続されている場合について説明する。つまり、ＨＡ端子における制御信号は、電気機器Ｈ１，Ｈ２から出力されるモニタ信号の状態（運転（オン）状態もしくは停止（オフ）状態）に基づき、かかる状態と制御信号の制御内容とが異なる場合にのみ送信される。
【００６０】
具体的には、電気機器Ｈ１，Ｈ２から出力されるモニタ信号がオフ状態であって、制御装置１０から指示される制御内容が運転（オン）である場合、送信部４６から制御信号が送信される。また、電気機器Ｈ１，Ｈ２から出力されるモニタ信号がオフ状態であって、制御装置１０から指示される制御内容が停止（オフ）である場合、送信部４６から制御信号が送信されない。また、電気機器Ｈ１，Ｈ２から出力されるモニタ信号がオン状態であって、制御装置１０から指示される制御内容が運転（オン）である場合、送信部４６から制御信号が送信されない。また、電気機器Ｈ１，Ｈ２から出力されるモニタ信号がオン状態であって、制御装置１０から指示される制御内容が停止（オフ）である場合、送信部４６から制御信号が送信される。
【００６１】
図４Ａに示すように、電気機器Ｈ１から出力されるモニタ信号がオフ状態である場合、制御装置１０からオンの指示を受けると、送信部４６は制御信号を送信する。かかる制御信号は、上記したオン制御信号に相当する。なお、この例では、第１のインターフェース部２４が選択されて電気機器Ｈ１から出力されるモニタ信号を受信部４５が受信しているとする。また、制御信号は、制御装置１０および電気機器Ｈ１に設けられたＨＡ端子Ｃ１，Ｃ２間（図示せず）に生じるパルス幅Ｔｐが、例えば、２００〜３００ｍｓの電圧信号である。
【００６２】
そして、停止状態にある電気機器Ｈ１は、制御信号を受けることでオン状態を示すモニタ信号を出力する。つまり、オフ状態にある電気機器Ｈ１は、制御信号を受けることで動作状態が反転する。なお、モニタ信号は、制御装置１０および電気機器Ｈ１に設けられたＨＡ端子Ｍ１，Ｍ２間（図示せず）に生じる電圧信号である。また、モニタ信号には、スタティック信号と、ＬレベルとＨレベルとを一定周期で繰り返すダイナミック信号とがある。電気機器から出力されるモニタ信号がスタティック信号もしくはダイナミック信号であるかは、電気機器の種類による。
【００６３】
また、Ｔｒは上記した制限時間であり、この例では、制限時間Ｔｒ内にモニタ信号の動作状態が反転しているため、制御装置１０は電気機器Ｈ１の操作状態は正常であると判定する。一方、制限時間Ｔｒ内にモニタ信号の動作状態が反転しなかった場合、制御装置１０は電気機器Ｈ１の操作状態は異常であると判定する。
【００６４】
なお、制限時間Ｔｒは、制御信号の送信開始から所定時間が経過した時間までであるが、制限時間Ｔｒの開始は制御信号の送信開始に限られず、パルス幅Ｔｐ内であればよい。
【００６５】
また、図４Ｂに示すように、電気機器Ｈ１から出力されるモニタ信号がオン状態である場合、制御装置１０からオフの指示を受けると、送信部４６は制御信号を送信する。かかる制御信号は、上記したオフ制御信号に相当する。
【００６６】
そして、オン状態にある電気機器Ｈ１は、制御信号を受けることでオフ状態を示すモニタ信号を出力する。つまり、オン状態にある電気機器Ｈ１は、制御信号を受けることで動作状態が反転する。
【００６７】
また、この例では、制限時間Ｔｒ内にモニタ信号の動作状態が反転しているため、制御装置１０は電気機器Ｈ１の操作状態は正常であると判定する。一方、制限時間Ｔｒ内にモニタ信号の動作状態が反転しなかった場合、制御装置１０は電気機器Ｈ１の操作状態は異常であると判定する。
【００６８】
［制御装置による処理の手順］
次に、図５を用いて、制御装置１０による電気機器Ｈ１，Ｈ２の動作確認処理の手順について説明する。図５は、実施形態に係る制御装置１０による電気機器Ｈ１，Ｈ２の動作確認処理の手順を示すフローチャートである。
【００６９】
図５に示すように、制御装置１０のモード切替部４１は、通常モードからテストモードへの切り替えがあるまで待機する（ステップＳ１０１；Ｎｏ）。
【００７０】
一方、モード切替部４１は、テストモードへの切り替えがあった場合（ステップＳ１０１；Ｙｅｓ）、テストモードへ切り替えさせる。具体的には、モード切替部４１は、第１のボタンスイッチ１５ａと第２のボタンスイッチ１５ｂとを同時に押すことで通常モードからテストモードへもしくはテストモードから通常モードへ切り替えさせる。
【００７１】
次に、第１選択部４２は、第１のインターフェース部２４および第２のインターフェース部２５のうちいずれか一方を選択させる（ステップＳ１０２）。具体的には、第１選択部４２は、第２のＤＩＰスイッチ１９の一方のチャンネル１９ａおよび他方のチャンネル１９ｂのオン／オフを切り替えることで、第１のインターフェース部２４および第２のインターフェース部２５のうちいずれか一方を選択させる。なお、この例では、第１選択部４２は、電気機器Ｈ１が接続される第１のインターフェース部２４を選択させるとする。
【００７２】
次に、第２選択部４３は、制御信号に含まれるオン制御信号およびオフ制御信号のうちいずれか一方を選択させる。具体的には、第２選択部４３は、第１のボタンスイッチ１５ａを押すことで、オン制御信号およびオフ制御信号のうちいずれか一方を選択させる（ステップＳ１０３）。なお、制御装置１０では、オン制御信号が選択された場合に第１のＬＥＤ１４ａが点灯し、オフ制御信号が選択された場合に第１のＬＥＤ１４ａが消灯する。
【００７３】
次に、第３選択部４４は、制御装置１０による制御信号の送信から電気機器Ｈ１の動作状態を示すモニタ信号が変化するまでの制限時間Ｔｒを選択させる。具体的には、第３選択部４４は、第１のＤＩＰスイッチ１３の一方のチャンネル１３ａおよび他方のチャンネル１３ｂのオン／オフを切り替えることで、宅内に設置されている家電等に用いるために設定した制限時間Ｔｒおよびガレージシャッター等に用いるために設定した制限時間Ｔｒのうちいずれか一方を選択させる（ステップＳ１０４）。
【００７４】
ここで、制御装置１０では、受信部４５によって電気機器Ｈ１の動作状態を常に受信している。したがって、制御装置１０では、受信部４５が停止状態を示すモニタ信号を受信している場合に第２のＬＥＤ１４ｂを消灯させる。また、制御装置１０では、受信部４５が運転状態を示すモニタ信号を受信している場合に第２のＬＥＤ１４ｂを点灯させる。
【００７５】
そして、受信部４５は、ホームゲートウェイＧＷからの信号を受信したか否かを判定する（ステップＳ１０５）。受信部４５は、ホームゲートウェイＧＷからの信号を受信していない場合には（ステップＳ１０５；Ｎｏ）、ホームゲートウェイＧＷからの信号を受信するまで待機する。
【００７６】
一方、受信部４５によってホームゲートウェイＧＷからの信号を受信した場合（ステップＳ１０５；Ｙｅｓ）、送信部４６からの制御信号の送信が可能な状態を維持する。
【００７７】
そして、送信部４６は、電気機器Ｈ１の動作確認を行うための制御信号を電気機器Ｈ１へ送信する（ステップＳ１０６）。具体的には、送信部４６は、第２のボタンスイッチ１５ｂを押すことで、電気機器Ｈ１の動作確認を行うための制御信号を電気機器Ｈ１へ送信する。
【００７８】
かかる場合、制御装置１０では、第３選択部４４によって選択された制限時間Ｔｒの間、第１のＬＥＤ１４ａを点滅させてテスト中であることを明示し、電気機器Ｈ１からのモニタ信号を監視する（ステップＳ１０７）。
【００７９】
なお、制御装置１０では、制限時間Ｔｒの間、第１のＤＩＰスイッチ１３、第１のボタンスイッチ１５ａ、第２のボタンスイッチ１５ｂ、および第２のＤＩＰスイッチ１９による設定を受け付けないように制御される。
【００８０】
また、制御装置１０では、制限時間Ｔｒが過ぎると、第２のＬＥＤ１４ｂを点滅させてテストが終了したことを明示する。
【００８１】
次に、受信部４５は、制限時間Ｔｒ内に電気機器Ｈ１からのモニタ信号が変化したか否かを判定する（ステップＳ１０８）。
【００８２】
そして、受信部４５は、制限時間Ｔｒ内に電気機器Ｈ１からのモニタ信号が変化したと判定した場合（ステップＳ１０８；Ｙｅｓ）、変化した後のモニタ信号により生成した表示信号を第１のＬＥＤ１４ａへ出力する。かかる場合、制御装置１０では、第１のＬＥＤ１４ａを点灯させて電気機器Ｈ１の動作状態が正常であることを表示し、動作確認処理を終了する（ステップＳ１０９）。
【００８３】
一方、受信部４５は、制限時間Ｔｒ内に電気機器Ｈ１からのモニタ信号が変化しなかったと判定した場合（ステップＳ１０８；Ｎｏ）、変化しなかったモニタ信号により生成した表示信号を第１のＬＥＤ１４ａへ出力する。かかる場合、制御装置１０では、第１のＬＥＤ１４ａを消灯させて電気機器Ｈ１の動作状態が異常であることを表示し、動作確認処理を終了する（ステップＳ１１０）。
【００８４】
なお、記憶部３０は、電気機器Ｈ１の動作確認を行った日時や電気機器Ｈ１の動作確認の結果等を示す情報であるログ履歴情報３１を記憶する。
【００８５】
また、テストモードを完了させるためには、電源スイッチ１２をオフにするか、もしくは第１のボタンスイッチ１５ａと第２のボタンスイッチ１５ｂとを同時に押せばよい。
【００８６】
［実施形態の効果］
このように、実施形態に係る制御装置１０では、制御装置１０と電気機器Ｈ１，Ｈ２との間を配線したあとの制御装置１０をも含めた電気機器Ｈ１，Ｈ２の動作確認を、制御装置１０自体で行うことができる。
【００８７】
また、実施形態に係る制御装置１０は、電気機器Ｈ１が接続される第１のインターフェース部２４と、電気機器Ｈ２との接続を延長する延長ユニット５０が接続される第２のインターフェース部２５とを具備する。これにより、制御装置１０単体で電気機器Ｈ１もしくは電気機器Ｈ２との接続を延長する延長ユニット５０を選択的に接続することができる。
【００８８】
また、実施形態に係る制御装置１０では、受信部４５で受信した電気機器Ｈ１，Ｈ２からのモニタ信号を表示する表示部２３を具備する。これにより、電気機器Ｈ１，Ｈ２の動作確認の結果を表示することができる。
【００８９】
また、実施形態に係る制御装置１０では、電気機器Ｈ１，Ｈ２の動作確認を行った日時や電気機器Ｈ１，Ｈ２の動作確認の結果等を示す情報であるログ履歴情報３１を記憶する記憶部３０を具備する。これにより、記憶部３０に記憶されているログ履歴情報３１に基づいて電気機器Ｈ１，Ｈ２の動作確認の過去の情報を知ることができる。
【００９０】
［その他］
なお、上述した実施形態に係る制御装置１０では、ホームゲートウェイＧＷからの信号に応じて電気機器Ｈ１，Ｈ２の動作確認を行う制御信号を送信部４６が送信しているが、これに限られない。例えば、ホームネットワークシステム２内において、ユーザ端末からの信号に応じて電気機器Ｈ１，Ｈ２の動作確認を行う制御信号を送信部４６が送信してもよい。かかる場合、Ｂｌｕｅｔｏｏｔｈ（登録商標）等の近距離無線技術や無線ＬＡＮを介して制御装置１０と通信を行うことになる。また、ホームゲートウェイＧＷと制御装置１０との無線通信方式としては、Ｗｉ−ＳＵＮ（Wireless  Smart  Utility  Network、登録商標）のＨＡＮ（Home  Are  Network）であってもよい。
【００９１】
また、上述した実施形態に係る電気機器Ｈ１，Ｈ２では、ＨＡ端子を備えるＨＡ機器であったが、これに限られず、ガレージに設置されている監視カメラやガレージシャッター以外のホームネットワークシステム２外に設置される外部セキュリティ機器であってもよい。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
１      制御システム
１０    制御装置
１１ａ  表側基板
１１ｂ  裏側基板
１２    電源スイッチ
１３    第１のＤＩＰスイッチ
１４ａ  第１のＬＥＤ
１４ｂ  第２のＬＥＤ
１５ａ  第１のボタンスイッチ
１５ｂ  第２のボタンスイッチ
１６    電源端子
１７    機器接続端子
１８    延長ユニット接続端子
１９    第２のＤＩＰスイッチ
２０    ＬＡＮ端子
２４    第１のインターフェース部
２５    第２のインターフェース部
４０    制御部
４１    モード切替部
４２    第１選択部
４３    第２選択部
４４    第３選択部
４５    受信部
４６    送信部
５０    延長ユニット
Ｈ１，Ｈ２    電気機器
Ｌ１          ＬＡＮケーブル
Ｌ２，Ｌ３    接続ケーブル
【図１】
2018166243.tif 000003
【図２Ａ】
2018166243.tif 000004
【図２Ｂ】
2018166243.tif 000005
【図２Ｃ】
2018166243.tif 000006
【図３】
2018166243.tif 000007
【図４Ａ】
2018166243.tif 000008
【図４Ｂ】
2018166243.tif 000009
【図５】
2018166243.tif 000010